(57)【要約】【課題】組合せ式文字学習カードの提供。【解決手段】異なる文字を印刷した複数のカードにホルダリングを通し、カードに紐で水性ペンを結びつけ、該カード背面の半部につや出し処理を行ない書き込み区を形成し、もう一つの半部に正面と同じ文字を設け、子供が水性ペンで書き込み区に重複して文字を書き込んで練習することができ、該カードを使用者の必要により、ホルダリングの二つの環体を利用し、カードの組合せと取り外し交換が行え、外出使用に便利で、且つ学習カードの製品市場での競争力を高め、ホルダリングで子供のズボン通しやリュックのショルダーバンドに装着でき、体積が小さく携帯に便利で、子供の文字学習への興味の増加を助ける。【選択図】　　　　図４
0003097402.tif 000002
【実用新案登録請求の範囲】
【請求項１】
組合せ式文字学習カードにおいて、
ホルダリングとされ、二つの半円形の環体の一端が相互に枢設されてなり、この二つの環体が金属で製造されて剛性を有し、且つ二つの環体の別端にそれぞれ円弧凸塊と円弧凹部が設けられた、上記ホルダリングと、
複数のカードとされ、その正面に異なる文字が印刷され、一側辺に穿孔が設けられ、カードの背面の半部に空白の書き込み区が設けられ、上記複数のカードと、
筆記具とされ、水性ペンとされて、上端に紐が通された、上記筆記具と、
を具え、ホルダリングがカードの穿孔に通され、さらに枢設部分を中心として二つの環体が回されて接近させられ、環体の二側端の円弧凸塊が円弧凹部に係合させられ、筆記具の紐の一端がホルダリングに結びつけられたことを特徴とする、組合せ式文字学習カード。
【請求項２】
請求項１記載の組合せ式文字学習カードにおいて、カードの背面の書き込み区につや出し処理がなされて光沢があり滑らかな状態とされたことを特徴とする、組合せ式文字学習カード。
【請求項３】
請求項１記載の組合せ式文字学習カードにおいて、カードの背面のもう一つの半部に正面と同じ文字が設けられたことを特徴とする、組合せ式文字学習カード。
【請求項４】
請求項１記載の組合せ式文字学習カードにおいて、筆記具の紐の一端が複数のカードに通されて結び付けられたことを特徴とする、組合せ式文字学習カード。
【考案の詳細な説明】
【０００１】
【考案の属する技術分野】
本考案は一種の組合せ式文字学習カードに係り、特に、使用者が必要により随時抜き取り交換したり或いは増加でき、学習カード背面が重複文字の書写練習に供され、且つ体積が小さく携帯に便利な、組合せ式文字学習カードに関する。
【０００２】
【従来の技術】
周知の文字学習カードは、複数の学習カードが装丁されて冊子状とされ、並びに各カードに異なる文字（英文、数字等）が設けられ、子供が学習する時に、めくって閲覧し学習記憶するのに供される。
【０００３】
【考案が解決しようとする課題】
しかし、上述の周知の学習カードは子供の学習記憶に使用できるが、以下のような使用の欠点がある。
１．文字学習カードは複数のカードが装丁され冊子状とされ、使用者が必要によりカードを抜き取って交換したり増減することがでず、学習カードの使用範囲が縮小され、学習カードの市場での競争力が低下した。
２．学習カードは子供がめくって観て記憶し、このため子供がカードの文字を参照して書き取り練習を行う時、別に紙とペンを用意しなければならず、ペンは使用過程で無くしやすく、金銭の浪費を増した。
３．学習カードが装丁されて冊子状とされた後、体積が膨大となり、子供が携帯して随時学習することができなくなり、子供の学習に対する意欲を大幅に減少した。
【０００４】
このように従来の学習カードは完全なものではなく、その欠点の改善が求められている。
【０００５】
【課題を解決するための手段】
請求項１の考案は、組合せ式文字学習カードにおいて、
ホルダリングとされ、二つの半円形の環体の一端が相互に枢設されてなり、この二つの環体が金属で製造されて剛性を有し、且つ二つの環体の別端にそれぞれ円弧凸塊と円弧凹部が設けられた、上記ホルダリングと、
複数のカードとされ、その正面に異なる文字が印刷され、一側辺に穿孔が設けられ、カードの背面の半部に空白の書き込み区が設けられ、上記複数のカードと、
筆記具とされ、水性ペンとされて、上端に紐が通された、上記筆記具と、
を具え、ホルダリングがカードの穿孔に通され、さらに枢設部分を中心として二つの環体が回されて接近させられ、環体の二側端の円弧凸塊が円弧凹部に係合させられ、筆記具の紐の一端がホルダリングに結びつけられたことを特徴とする、組合せ式文字学習カードとしている。
請求項２の考案は、請求項１記載の組合せ式文字学習カードにおいて、カードの背面の書き込み区につや出し処理がなされて光沢があり滑らかな状態とされたことを特徴とする、組合せ式文字学習カードとしている。
請求項３の考案は、請求項１記載の組合せ式文字学習カードにおいて、カードの背面のもう一つの半部に正面と同じ文字が設けられたことを特徴とする、組合せ式文字学習カードとしている。
請求項４の考案は、請求項１記載の組合せ式文字学習カードにおいて、筆記具の紐の一端が複数のカードに通されて結び付けられたことを特徴とする、組合せ式文字学習カードとしている。
【０００６】
【考案の実施の形態】
本考案は一種の組合せ式文字学習カードを提供し、それは、
ホルダリング１とされ、二つの半円形の環体１１の一端が相互に枢設されてなり、この二つの環体１１が金属で製造されて剛性を有し、且つ二つの環体１１の別端にそれぞれ円弧凸塊１２と円弧凹部１３が設けられた、上記ホルダリング１と、
複数のカード２とされ、その正面に異なる文字（英文字、数字、発音記号等、図１の如し）が印刷され、一側辺に穿孔２１と貫通孔２２が設けられ、カード２の背面の半部につや出し処理が行われて空白で光沢のある書き込み区２３が設けられ、もう一つの半部に正面と同じ文字（図２、５参照）が設けられた、上記複数のカード２と、
筆記具３とされ、水性ペンとされて、上端に紐３１が通された、上記筆記具３と、
を具え、組立時には、まずホルダリング１がカード２の穿孔２１に通され、さらに枢設部分を中心として二つの環体１１が回されて接近させられ、さらに環体１１の剛性作用を利用し、二側端の円弧凸塊１２が円弧凹部１３に係合させられ（図３）、複数のカード２がホルダリング１に組み合わされ、続いて、筆記具３の紐３１の一端がカード２の貫通孔２２に通されて結びつけられ、並びにカード２が可動式にめくれるものとされ（図４）、筆記具３がカード２に連接され、こうして本考案の全体の組立が完成する。
【０００７】
子供が読み書き練習を行う時は、まずカード２の正面の文字を正確に発音する練習を行ない、カード２をめくって背面を表とし、並びにカード２の背面の半部の書き込み区２３に水性の筆記具３で書き取り練習を行う（図５）。紐３１の長さは水性の筆記具３を握持して書く時に順調に書き込めるものとされ、該カード２の書き込み区２３にはつや出し処理がなされて光沢があり滑らかな状態を呈するため、児童が書き込み区２３に水性ペンで書き込んだ文字を擦拭してきれいにすることができ、子供が重複して書き取り練習を行うことができる。異なる文字のカード２に交換したいか、それを増加したい時は、ホルダリング１の剛性を利用して、二つの環体１１を二側に向けて回して、円弧凸塊１２を円弧凹部１３より離脱させ（図３）、さらに紐３１の一端をほどいて貫通孔２２より抜き取れば、カード２の交換或いは増設が行える。並びに更に円弧凸塊１２と円弧凹部１３を係合させればよく、操作使用が簡単快速である。
【０００８】
続いて、図９に示される本考案の別の実施例によると、筆記具３の紐３１の一側端が直接ホルダリング１に結びつけられ、前述の実施例と同じ使用の目的と効果を達成する。
【０００９】
本考案の学習カードを不使用の時或いは包装したい時は、カード２をホルダリング１より外し並びに筆記具３をカード２の側辺に重ね合わせ、さらにホルダリング１、カード２を紐３１と共に収容盤Ａに置き入れ、最後に収容盤Ａを紙箱Ｂ中に入れれば（図６）、外観が整い、場所をとらない。
【００１０】
本考案の学習カードを外出時に携帯する時は、ホルダリング１を利用してリュックのショルダーバンド、ズボンのベルト通し等に取り付けることができ（図７、８）、携帯に便利で且つ随時取り外して読み書きの練習に用いることができ、別に筆記具を携帯したり探す必要がなく、児童の学習の意欲を増加させる。
【００１１】
【考案の効果】
本考案は以上の構造を有し、周知のものと比較して以下のような機能が増進されている。
１．本考案は複数のカード２がホルダリング１を利用して組み合わされ、使用者が必要により随時ホルダリング１の二つの環体１１を回して開き、異なる文字のカード２に交換したり、それを増加して学習範囲を広げることができ、学習カードの市場での競争力を高めることができる。
２．カード２の背面の半部の書き込み区２３につや出し処理がなされているため、子供が水性の筆記具３でもう一つの半部に設けられた正面と同じ文字を参照して反復して書写練習を行うことができ、別に紙を購入する必要がなく、使用に便利で金銭の浪費を減らすことができる。
３．本考案のカード２はホルダリング１で組み合わされて冊子状とされ、子供のズボンのベルト通し、リュックのショルダーバンド等に取り付けることができ、外出時の携帯に便利で随時子供がそれを取り外して読み書きの練習に使用することができ、子供の学習の興味と意欲を増加できる。
【００１２】
総合すると本考案は予期された使用目的と効果を達成し、且つ周知のものよりも実用的であり、またその構造はその出願前に公開されておらず、新規性を有し、ゆえに本考案は実用新案登録の要件を具備している。
【図面の簡単な説明】
【図１】本考案の分解斜視図である。
【図２】本考案のカードの断面拡大図である。
【図３】本考案のホルダリングの組合せ断面拡大図である。
【図４】本考案の組合せ斜視図である。
【図５】本考案の書き取り使用状態の参考斜視図である。
【図６】本考案の収納状態の斜視図である。
【図７】本考案のリュックのショルダーバンドへの取り付け実施状態表示図である。
【図８】本考案のズボンのベルト通しへの取り付け実施状態表示図である。
【図９】本考案の別の実施例の斜視図である。
【符号の説明】
１　ホルダリング　　　　　１１　環体　　　　１２　円弧凸塊
１３　円弧凹部　　　　　　２　カード　　　　２１　穿孔
２２　貫通孔　　　　　　　２３　書き込み区　３　筆記具
３１　紐　　　　　　　　　Ａ　収容盤　　　　Ｂ　紙箱
【図１】
0003097402.tif 000003
【図２】
0003097402.tif 000004
【図３】
0003097402.tif 000005
【図４】
0003097402.tif 000006
【図５】
0003097402.tif 000007
【図６】
0003097402.tif 000008
【図７】
0003097402.tif 000009
【図８】
0003097402.tif 000010
【図９】
0003097402.tif 000011